(57)【要約】      （修正有）【課題】脱いだロングブーツの筒部分が途中から折れ曲がることを防止し、また折れ曲がったロングブーツの筒部分の開口エッジ部分が床面に付着することを防止できる携帯可能なコンパクトブーツスタンドを得る。【解決手段】所定の大きさと長さに整形した角材からなる２本の基盤１ａ、１ｂを直線縦列で各々の相対する直面を適合させ、接合面の下部位を蝶番５で繋いで連結し、蝶番５を付設した側の各内面に支持棒を収容する収容溝２ａ、２ｂを設け、且つ収容溝２ａ、２ｂの片方に支持棒を止める突起部７を設け、蝶番５を付設した反対側面の中央接合位置より両端寄りに各々適宜な距離を置く位置に垂直に支持棒の根元先端を嵌め込む挿入孔３ａ、３ｂを穿つ。支持棒は長短の伸縮及び所要の方向に調節ができ、先端適位置の両端にクリップを具える。【選択図】図１
0003106046.tif 000002
【実用新案登録請求の範囲】
【考案の詳細な説明】
【技術分野】
【０００１】  本考案は、軽量且つコンパクトで、使用する場所を限定せずに簡単に組立が出来、脱いだロングブーツを自立状態に保持させる携帯可能なコンパクトブーツスタンドに関する。
【背景技術】
【０００２】  従来のブーツスタンドは主として自宅で使用すること、ロングブーツの型崩れ防止を目的としたものであった。【０００３】例えば、特開２００２−１５３３７０号「ブーツスタンド」においては、一対のロングブーツを上下逆に向かい合わせて省スペースで保管し、且つロングブーツが型崩れを起こさない為の保形用部材を有するものであった。【０００４】  実用新案登録第２６０５０９６号「ブーツスタンド」では、一対のロングブーツ内に別々に挿入される一対の細長い棒状をなす支持柱に、ロングブーツを内側から筒形に保持する保形用部材と、両支持柱を絞め付けるための摺動自在な摺動子を設け、保形用部材の先端が靴底に当たるように挿入した後、両支持柱を摺動子で絞め付けることでロングブーツを自立状態の保持させるものであった。【０００５】  登録実用新案第３０３７９１３号「ブーツスタンド」では、台座に設けた差し込み棒にブーツを逆さに差し込んで支えて展示用に供するものであった。
【考案の開示】
【考案が解決しようとする課題】
【０００６】  本考案は、ロングブーツを脱いだ時にロングブーツの筒部分が途中から折れ曲がって型崩れを起こすことを防止し、また雨天時に床面の汚れなどがロングブーツの筒部分の開口エッジ部分に付着することを防止し、軽量且つコンパクトな大きさで持ち運びに便利であって、しかも場所を選ばずに簡単に組み立てることが出来る、携帯可能なコンパクトブーツスタンドを提供しようとするものであるが、基盤は設置面に平行して伸長棒によってスライドする構造（以下、スライド伸縮式という）又は、軸で繋いで扇状に開閉する構造（以下、回転開閉式という）にすることも出来るが、本案は最良の方法として、２本の基盤を直線縦列に蝶番等で繋いで連結する構造（以下、基盤連結式という）にした。
【課題を解決するための手段】
【０００７】  本考案は、基盤の構造をスライド伸縮式又は、回転開閉式とすることも出来るが最良の方法として基盤連結式とし、所定の大きさと長さに整形した角材からなる２本の基盤を直線縦列に置いて、各々の相対する直面を適合させた接合面の下部位を蝶番等で繋いで転結する。【０００８】  蝶番等を付設した側の基盤の各内面に、短縮して最短長となる支持棒を収容する収容溝を適応する形状と位置に設け、且つ収容溝の何れが一方に支持棒を止める突起部を設ける。【０００９】  蝶番等を付設した反対側面の中央接合位置より両端寄りに、各々適宜な距離を置く位置に、垂直に支持棒の根元先端を嵌め込む挿入孔を穿って設ける。【００１０】  先端適位置の両端にクリップを設け、長短の伸縮及び所要の方向に自在に調節できる機能を持った支持棒を具える。
【考案の効果】
【００１１】  本考案は、持ち運びに邪魔にならない大きさで、長短の調節が出来る支持棒を使って、ロングブーツの筒部分を支える為、ロングブーツの筒部分の長短に関係なく対応が出来る。【００１２】  本考案は、基盤を直線縦列に置いて相対する接合面の下部位を蝶番で繋ぎ連結して開閉自在とし、各々の基盤が閉じた状態で接する面に、支持棒を収容する収容溝を設けている為、携帯時及び不使用時には、該支持棒を収容溝に収容することが出来る。【００１３】  本考案は、場所を選ばずまた嵩張らずに設置でき、さらに組み立てる時間と労力を要しない構造である。
【考案を実施する為の最良の形態】
【００１４】  本考案は、所定の大きさと長さに整形した角材からなる２本の基盤１ａ、１ｂを直線縦列に置いて、各々の相対する直面を適合させた接合面の下部位を蝶番５等で繋ぎ連結する。
【００１５】  蝶番５等を付設した側の基盤１ａ、１ｂの各内面に、短縮して最短長となる支持棒４を収容する収容溝２ａ、２ｂを適応する形状と位置に設け、且つ収容溝２ａ、２ｂの何れか一方に支持棒４を止める突起部７を設ける。
【００１６】  蝶番５等を付設した反対側面の中央接合位置より両端寄りに、各々適宜な距離を置く位置に、垂直に支持棒４の根元先端を嵌め込む挿入孔３ａ、３ｂを穿つ。
【００１７】  先端適位置の両端にクリップ６ａ、６ｂを設け、長短の伸縮及び所要の方向が自在に調節できる機能を持った支持棒４を具える。
【実施例】
【００１８】  本考案は、携帯可能なコンパクトブーツスタンドの基盤を角材で構成するが、床面に接触する部分以外は例えば半円形であっても、或いは流線型であっても良い。【００１９】  本考案において、支持棒の根元先端を嵌め込む挿入孔の中心方向を、支持棒を収容する収容溝と直角になるようにすることが出来る。【００２０】  本考案において、支持棒の固定方法をネジ止め構造にすることが出来る。【００２１】  本考案の使用に当たっては、図３のように携帯可能なコンパクトブーツスタンドの基盤１ａ、１ｂを蝶番５を軸にして開き、収容溝２ａ、２ｂに収容されている支持棒４を取り出し基盤表面８を上にして置き、該基盤を跨ぐようにロングブーツを置く。【００２２】  取り出した支持棒４の根元先端を基盤表面８に穿った挿入孔３ａ、３ｂの何れか一方に嵌め込んで装着し、該支持棒４をロングブーツの筒部分の長さに合わせて伸ばし、支持棒４の先端に設けたクリップ６ａ、６ｂでロングブーツの開口エッジ部分を挟んでロングブーツの自立状態を保持する。
【図面の簡単な説明】
【００２３】
【図１】    本考案の本体を示す斜視図である。
【図２】    本考案の組立例を示す正面図である。
【図３】    本考案の使用例で右半分を示す斜視図である。
【符号の説明】
【００２４】        １ａ、１ｂ      基盤
２ａ、２ｂ      収容溝
３ａ、３ｂ      挿入孔
４              支持棒
５              蝶番
６ａ、６ｂ      クリップ
７              突起部
８              基盤表面
９              基盤裏面
【図１】
0003106046.tif 000003
【図２】
0003106046.tif 000004
【図３】
0003106046.tif 000005
【手続補正書】
【提出日】平成16年7月8日(2004.7.8)
【手続補正１】
【補正対象書類名】実用新案登録請求の範囲
【補正対象項目名】全文
【補正方法】変更
【補正の内容】
【実用新案登録請求の範囲】
【請求項１】
所定の大きさと長さに整形した角材からなる２本の基盤（１ａ、１ｂ）を直線縦列に置いて、各々の相対する直面を適合させた接合面の下部位を蝶番（５）等で繋ぎ連結した携帯可能なコンパクトブーツスタンド。
【請求項２】
蝶番（５）等を付設した側の基盤（１ａ、１ｂ）の各内面に、短縮して最短長となる支持棒（４）を収容する収容溝（２ａ、２ｂ）を適応する形状と位置に設け、且つ収容溝（２ａ、２ｂ）の何れか一方に支持棒（４）を止める突起部（７）を設けた請求項１記載の携帯可能なコンパクトブーツスタンド。
【請求項３】
蝶番（５）等を付設した反対側面の中央接合位置より両端寄りに、各々適宜な距離を置く位置に、垂直に支持棒（４）の根元先端を嵌め込む挿入孔（３ａ、３ｂ）を穿って設けた請求項１、２記載の携帯可能なコンパクトブーツスタンド。
【請求項４】
先端適位置の両端にクリップ（６ａ、６ｂ）を設け、長短の伸縮及び所要の方向が自在に調節できる機能を持った支持棒（４）を具え持った請求項１、２及び３記載の携帯可能なコンパクトブーツスタンド。